(57)【特許請求の範囲】
【請求項１】
検知温度に加熱されてＣＯガスを検知する接触燃焼式の検知素子と、該検知素子を前記検知温度に加熱する加熱手段とを有し、前記検知素子の検知したＣＯガスの濃度に応じた検知出力を出力するＣＯ検知器と、前記加熱手段による前記検知素子の加熱を制御する加熱制御手段と、前記ＣＯ検知器がＣＯガスを検知していないときに出力する検知出力を０点基準値として予め記憶する０点基準値記憶手段と、該０点基準値記憶手段に記憶している０点基準値を基準として、前記ＣＯ検知器の出力する検知出力がＣＯガスの所定濃度に対して予め定められた値以上となったことを判定したときに警報信号出力端子を介して警報信号を出力する判定手段とを備えるＣＯガス検知装置において、
自然排気式のガス給湯器への電源の投入により供給される電源電圧の立ち上がりを当該ガス給湯器の動作開始を示す動作開始信号として電源端子を介して入力する動作開始信号入力手段と、
前記ガス給湯器の燃焼を禁止させる燃焼制御信号を信号線端子を介して出力する燃焼制御信号出力手段と、
前記動作開始信号の入力に応じて前記加熱制御手段に前記加熱手段による前記検知素子の前記検知温度への加熱を制御させるとともに前記燃焼制御信号出力手段に前記燃焼制御信号を出力させ、前記加熱手段による前記検知素子の加熱と前記燃焼制御信号出力手段による前記燃焼制御信号の出力とにより形成された、前記検知素子が検知温度に加熱されかつ前記ガス給湯器が燃焼状態にない状態において、前記ＣＯ検知器の検知出力を新しい０点基準値としてそれ以前の０点基準値に代えて前記０点基準値記憶手段に記憶させて０点基準値の初期補正を行い、その後前記燃焼制御信号出力手段による前記燃焼制御信号の出力を終了させて前記ガス給湯器を燃焼可能な状態にする初期補正手段とを更に備え、
前記検知素子、前記加熱手段、前記加熱制御手段、前記０点基準値記憶手段、前記判定手段、前記動作開始信号入力手段、前記燃焼制御信号出力手段及び前記初期補正手段からなる前記ＣＯガス検知装置が前記ガス給湯器の燃焼制御部とは別個に構成されている
ことを特徴とするＣＯガス検知装置。
【請求項２】
前記ガス給湯器が燃焼状態にあることを示す燃焼信号を入力する燃焼信号入力手段を更に備え、
前記加熱制御手段は、前記燃焼信号の入力に応じて前記加熱手段に前記検知素子を前記検知温度に加熱させ、前記燃焼信号の入力がなくなったとき前記加熱手段による前記検知素子の加熱を終了させる
ことを特徴とする請求項１記載のＣＯガス検知装置。
【請求項３】
前記初期補正手段による０点基準値の初期補正の終了後定期的に、前記燃焼信号の入力がないときに、前記加熱制御手段に前記加熱手段による前記検知素子の加熱を終了させず、前記ガス給湯器の燃焼終了後燃焼による温度が０点基準値の補正に影響がなくなった時点で、前記ＣＯ検知器の検知出力を新しい０点基準値としてそれ以前の０点基準値に代えて前記０点基準値記憶手段に記憶させて０点基準値の経時補正を行う経時補正手段を更に備える
ことを特徴とする請求項２記載のＣＯガス検知装置。
【請求項４】
前記経時補正手段は、前記燃焼信号の入力に応じて計数を行う計数手段を有し、該計数手段の計数値が所定値になる毎に定期的な前記経時補正を行う
ことを特徴とする請求項３記載のＣＯガス検知装置。
【請求項５】
前記経時補正手段は、前記燃焼信号の入力がなくなってからの一定時間を経時する経時手段を有し、該経時手段が一定時間の経時を行ったとき、前記ガス給湯器の燃焼終了後燃焼による温度が０点基準値の補正に影響がなくなったとして、前記経時補正を行う
ことを特徴とする請求項３又は４記載のＣＯガス検知装置。
【請求項６】
前記経時補正手段は、前記燃焼信号の入力がなくなってから前記検知素子の抵抗値に基づいて前記検知素子の温度を検出する温度検出手段を有し、該温度検出手段により検出した温度が０点基準値の補正に影響ない温度となったとき、前記経時補正を行う
ことを特徴とする請求項３又は４記載のＣＯガス検知装置。
【請求項７】
前記燃焼信号入力手段は、前記ガス給湯器のフレームロットの発生する信号を燃焼信号として信号入力端子を介して入力する
ことを特徴とする請求項２〜６の何れかに記載のＣＯガス検知装置。
【請求項８】
新しい０点基準値としてそれ以前の０点基準値に代えて前記０点基準値記憶手段に記憶させるための前記ＣＯ検知器の検知出力が予め定めた範囲内にないとき前記検知素子に異常ありと判定して、異常信号出力端子を介して異常信号を出力する異常判定手段を更に備える
ことを特徴とする請求項１〜７の何れかに記載のＣＯガス検知装置。
【発明の詳細な説明】
【０００１】
【発明の属する技術分野】
本発明はＣＯガス検知装置に係り、特に、ガス燃焼器が排出する排気中の不完全燃焼にともなって発生される一酸化炭素ガスの濃度を測定して異常状態を検知するＣＯガス検知装置に関するものである。
【０００２】
【従来の技術】
従来から、ガス燃焼器の排出する不完全燃焼排ガスを検知するために、ガス燃焼器の本体の排気口部分に配された接触燃焼式の検知素子を有するＣＯ検知器を備え、ＣＯ検知器の検知素子を用いて排気中の一酸化炭素等の可燃ガス濃度を測定して異常状態を検知し、これにより、バーナへ通ずるガス供給管を安全装置としての電磁弁で遮断するようにしたものがある。
【０００３】
上記ＣＯ検知器は、排気と接触可能な排気口部分に配された検知素子が図示しない温度補償用基準素子、固定抵抗及び可動抵抗とともにブリッジ回路を構成するようになっており、上記検知素子が排気に触れることで排気中の一酸化炭素濃度に応じて発熱し、その抵抗値が変化することでブリッジ回路の平衡状態が崩れ、非平衡度に応じた大きさの電圧を検知出力として出力するようになっている。
【０００４】
そして、制御部がこの検知出力を入力し、検知出力が制御部内に予め定められた設定値を超えたら、排気中の一酸化炭素ガスの濃度が危険状態になったと判断して、警報信号を出力して鳴動手段であるブザーによって警報音を発生させたり、ガス供給源を遮断させ、室内に一酸化炭素ガスが充満して中毒事故が起こるのを防ぐようになっている。
【０００５】
なお、ＣＯ検知器は、一般に、線径φ２０〜５０μｍの白金線をコイル状に成形し、このコイル上に触媒を担持したアルミナをビード状に成形した検知素子と、アルミナ担持のみを成形した基準素子とを組合せこれに保護用のキャップを取付けた構成となっており、不完全燃焼排ガス中に含まれるＣＯ、Ｈ2 と触媒との反応熱によって白金線の抵抗値が上昇する原理を利用して動作する。
【０００６】
この種のＣＯガス検知装置においては、上記したように予め定められた固定的な警報レベルと検知出力とを比較するものなので、その前提として、検知出力が警報レベルを超えたかどうかの判断の基準となる一酸化炭素ガスを検知していない状態での０点基準値の設定を確実に行う必要がある。従来は、燃焼器に組み込まれた工場出荷段階等で、上記ＣＯ検知器内の可変抵抗を予め調整することにより、上記ブリッジ回路が平衡状態となるように調整して、上記０点基準値の設定を行っていた。
【０００７】
しかし、上述のように設定された０点基準値は、組み込まれた燃焼器輸送時の振動衝撃で調整済みの可変抵抗が動いてしまって変動する可能性がある。また、排気ガス中に含まれている各種の物質が検知素子の表面に吸着されることによって、０点基準値変動が発生する場合もある。
【０００８】
このように０点基準値に変動が生じたときには、検知出力が警報レベルを超えたかどうかの判断の基準となる一酸化炭素を検知していない状態での０点基準値が狂ってしまう。このような場合には、重大な誤差を含んだ検知出力と予め定められた警報レベルとが比較されるようになり、実際の一酸化炭素ガスの濃度は警報レベルにあるのに検知装置側では警報レベルに達していないと判断して、所定の安全装置が全く作動しないという危険な状態になるおそれがある。
【０００９】
上述したガス燃焼器の例として、例えば、ＡＣ１００Ｖ電源を使用する強制給排気（ＦＦ）式、強制排気（ＦＥ）式ガス給湯器が挙げられる。この種のガス給湯器では、ガス給湯器の燃焼制御部がこの検知出力を入力し、検知出力が燃焼制御部内に予め定められた設定値を超えたら、排気中の一酸化炭素ガスの濃度が危険状態になったと判断して、警報信号を出力して鳴動手段であるブザーによって警報音を発生させたり、ガス供給源を遮断させ、室内に一酸化炭素ガスが充満して中毒事故が起こるのを防ぐようになっている。
【００１０】
そして、上述したガス給湯器の燃焼制御部は、ガス給湯器輸送時の振動衝撃によるのずれを補正するために、ガス給湯器の設置後ガス給湯器に電源が投入されても、直ちに燃焼を開始させずに、給湯器が消火していて一酸化炭素を発生していない状態にあるうちに、ＣＯ検知器１の出力を０点基準値として記憶する０点基準値の補正作業を行うように構成されていた。そして、その後の補正作業は、燃焼制御部が一酸化炭素ガスの発生のない状態、すなわち、燃焼終了後のポストパージ時を判断して一般に行われていた。
【００１１】
【発明が解決しようとする課題】
ところが最近、燃焼終了後のポストパージが行われない自然排気（ＣＦ）式給湯器においても、排出する排気中の不完全燃焼にともなって発生される一酸化炭素ガスの濃度を測定して異常状態を検知するＣＯガス検知装置を組み込むことが考えられている。
【００１２】
しかし、この種のガス給湯器は、給湯温度を制御する程度の燃焼制御部を備えるだけである。このため、燃焼制御部に、検知出力を入力し、検知出力が予め定められた設定値を超えたら、排気中の一酸化炭素ガスの濃度が危険状態になったと判断して、警報信号を出力して鳴動手段であるブザーによって警報音を発生させたり、ガス供給源を遮断させる機能を持たせることが難しい。
【００１３】
そこで、この種の簡易型のガス給湯器に、ＣＯガス検知装置を新たに組み込むようにしても、従来のＣＯガス検知装置では、ガス給湯器が一酸化炭素ガスを発生していない状態にあるタイミングを見つけて０点基準値の補正動作を行うことができない。
【００１４】
勿論、既存のガス給湯器の燃焼制御部を新たに作成し直したり作り直して、上述した０点基準値の補正動作を行えるようにすることも考えられるが、それにはガス給湯器自体の設計のし直しが伴い、大幅なコストアップを招くという問題が生じる。
【００１５】
よって本発明は、既存のガス給湯器に手を加えず大幅なコストアップを招くことなく、ガス給湯器が一酸化炭素ガスを排出しない状態にあるタイミングを形成して０点基準値の補正動作を行えるようにしたＣＯガス検知装置を提供することを課題としている。
【００１６】
本発明はまた、既存のガス給湯器に手を加えず大幅なコストアップを招くことなく、ガス給湯器が一酸化炭素ガスを排出しない状態にあるタイミングを確実に見つけて０点基準値の補正動作を行えるようにしたＣＯガス検知装置を提供することを課題としている。
【００１７】
【課題を解決するための手段】
上記課題を達成するためなされた請求項１記載の発明は、図１の基本構成図に示すように、検知温度に加熱されてＣＯガスを検知する接触燃焼式の検知素子１ａと、該検知素子を前記検知温度に加熱する加熱手段１ｃとを有し、前記検知素子の検知したＣＯガスの濃度に応じた検知出力を出力するＣＯ検知器１と、前記加熱手段による前記検知素子の加熱を制御する加熱制御手段２ａ−１と、前記ＣＯ検知器がＣＯガスを検知していないときに出力する検知出力を０点基準値として予め記憶する０点基準値記憶手段２ｃ−１と、該０点基準値記憶手段に記憶している０点基準値を基準として、前記ＣＯ検知器の出力する検知出力がＣＯガスの所定濃度に対して予め定められた値以上となったことを判定したときに警報信号出力端子を介して警報信号を出力する判定手段２ａ−２とをガス燃焼器の燃焼制御部と別個に備えるＣＯガス検知装置において、自然排気式のガス給湯器への電源の投入により供給される電源電圧の立ち上がりを当該ガス給湯器の動作開始を示す動作開始信号として電源端子を介して入力する動作開始信号入力手段２ａ−３と、前記ガス給湯器の燃焼を禁止させる燃焼制御信号を信号線端子を介して出力する燃焼制御信号出力手段２ａ−４と、前記動作開始信号の入力に応じて前記加熱制御手段に前記加熱手段による前記検知素子の前記検知温度への加熱を制御させるとともに前記燃焼制御信号出力手段に前記燃焼制御信号を出力させ、前記加熱手段による前記検知素子の加熱と前記燃焼制御信号出力手段による前記燃焼制御信号の出力とにより形成された、前記検知素子が検知温度に加熱されかつ前記ガス給湯器が燃焼状態にない状態において、前記ＣＯ検知器の検知出力を新しい０点基準値としてそれ以前の０点基準値に代えて前記０点基準値記憶手段に記憶させて０点基準値の初期補正を行い、その後前記燃焼制御信号出力手段による前記燃焼制御信号の出力を終了させて前記ガス給湯器を燃焼可能な状態にする初期補正手段２ａ−６とを更に備え、前記検知素子、前記加熱素子、前記加熱制御手段、前記０点基準値記憶手段、前記判定手段、前記動作開始信号入力手段、前記燃焼制御信号出力手段及び前記初期補正手段からなる前記ＣＯガス検知装置が前記ガス給湯器の燃焼制御部とは別個に構成されていることを特徴とするＣＯガス検知装置に存する。
【００１８】
請求項１記載の発明によれば、検知温度に加熱されてＣＯガスを検知する接触燃焼式の検知素子１ａを加熱手段１ｃが検知温度に加熱し、検知素子の検知したＣＯガスの濃度に応じた検知信号をＣＯ検知器１が出力する。加熱制御手段２ａ−１が、加熱手段による検知素子の加熱を制御する。判定手段２ａ−２は、０点基準値記憶手段２ｃ−１に記憶している０点基準値を基準として、ＣＯ検知器の出力する検知信号がＣＯガスの所定濃度に対して予め定められた値以上となったことを判定したときに警報信号出力端子を介して警報信号を出力する。
【００１９】
そして、初期補正手段２ａ−６は、動作開始信号入力手段２ａ−３に、自然排気式のガス給湯器への電源の投入により供給される電源電圧の立ち上がりを当該ガス給湯器の動作開始を示す動作開始信号として電源端子を介して入力することに応じてガス給湯器の動作開始を知り、加熱制御手段に加熱手段による検知素子の検知温度への加熱を制御させるとともに燃焼制御信号出力手段２ａ−４にガス給湯器の燃焼を禁止させる燃焼制御信号を信号線端子を介して出力させ、加熱手段１ｃによる検知素子１ａの加熱と燃焼制御信号出力手段２ａ−４による燃焼制御信号の出力とにより形成された、検知素子１ａが検知温度に加熱されかつガス給湯器が燃焼状態にない状態において、ＣＯ検知器の検知出力を新しい０点基準値としてそれ以前の０点基準値に代えて０点基準値記憶手段に記憶させて０点基準値の初期補正を行い、その後燃焼制御信号出力手段による燃焼制御信号の出力を終了させてガス給湯器を燃焼可能な状態にするので、ガス給湯器から動作開始信号を入力し、ガス給湯器に対して燃焼を禁止させる燃焼制御信号を出力するだけで、０点基準値の初期補正を行う状態を形成し、初期補正を行った後はガス給湯器を自動的に本来の動作可能な状態に戻すことができる。しかも、検知手段、加熱手段、加熱制御手段、０点基準値記憶手段、判定手段、動作開始信号入力手段、燃焼制御信号出力手段及び初期補正手段からなるＣＯガス検知装置がガス給湯器の燃焼制御部とは別個に構成されている。
【００２０】
請求項２記載の発明は、請求項１記載のＣＯガス検知装置において、前記ガス給湯器が燃焼状態にあることを示す燃焼信号を入力する燃焼信号入力手段２ａ−５を更に備え、前記加熱制御手段は、前記燃焼信号の入力に応じて前記加熱手段に前記検知素子を前記検知温度に加熱させ、前記燃焼信号の入力がなくなったとき前記加熱手段による前記検知素子の加熱を終了させることを特徴とするＣＯガス検知装置に存する。
【００２１】
請求項２記載の発明によれば、請求項１記載の発明の作用に加え、加熱制御手段は、燃焼信号入力手段２ａ−５に燃焼信号が入力されたことに応じて加熱手段に検知素子を検知温度に加熱させ、燃焼信号の入力がなくなったとき加熱手段による検知素子の加熱を終了させるので、ガス給湯器から燃焼信号を入力するだけで、ガス給湯器の燃焼動作時だけＣＯガスの検知動作を行うようになる。
【００２２】
請求項３記載の発明は、請求項２記載のＣＯガス検知装置において、前記初期補正手段による０点基準値の初期補正の終了後定期的に、前記燃焼信号の入力がないときに、前記加熱制御手段に前記加熱手段による前記検知素子の加熱を終了させず、前記ガス給湯器の燃焼終了後燃焼による温度が０点基準値の補正に影響がなくなった時点で、前記ＣＯ検知器の検知出力を新しい０点基準値としてそれ以前の０点基準値に代えて前記０点基準値記憶手段に記憶させて０点基準値の経時補正を行う経時補正手段２ａ−７を更に備えることを特徴とするＣＯガス検知装置に存する。
【００２３】
請求項３記載の発明によれば、請求項２記載の発明の作用に加え、経時補正手段２ａ−７は、初期補正手段による０点基準値の初期補正の終了後定期的に、燃焼信号の入力がないときに、加熱制御手段に加熱手段による検知素子の加熱を終了させず、ガス給湯器の燃焼終了後燃焼による温度が０点基準値の補正に影響がなくなった時点で、ＣＯ検知器の検知出力を新しい０点基準値としてそれ以前の０点基準値に代えて０点基準値記憶手段に記憶させて０点基準値の経時補正を行うので、ガス給湯器の燃焼動作の過程で燃焼信号のみを監視することによって、経時補正を定期的に実行することができる。
【００２４】
請求項４記載の発明は、請求項３記載のＣＯガス検知装置において、前記経時補正手段は、前記燃焼信号の入力に応じて計数を行う計数手段２ｃ−２を有し、該計数手段の計数値が所定値になる毎に定期的な前記経時補正を行うことを特徴とするＣＯガス検知装置に存する。
【００２５】
請求項４記載の発明によれば、請求項３記載の発明の作用に加え、経時補正手段は、燃焼信号の入力に応じて計数を行う計数手段２ｃ−２の計数値が所定値になる毎に定期的な経時補正を行うので、ガス給湯器から燃焼信号のみを入力することで、ガス給湯器の燃焼回数が所定回数となる毎に定期的に経時補正を実行することができる。
【００２６】
請求項５記載の発明は、請求項３又は４記載のＣＯガス検知装置において、前記経時補正手段は、前記燃焼信号の入力がなくなってからの一定時間を計時する計時手段２ｃ−３を有し、該計時手段が一定時間の計時を行ったとき、前記ガス給湯器の燃焼終了後燃焼による温度が０点基準値の補正に影響がなくなったとして、前記経時補正を行うことを特徴とするＣＯガス検知装置に存する。
【００２７】
請求項５記載の発明によれば、請求項３又は４記載の発明の作用に加え、経時補正手段は、燃焼信号の入力がなくなってからの一定時間を計時手段２ｃ−３が計時したとき、ガス給湯器の燃焼終了後燃焼による温度が０点基準値の補正に影響がなくなったとして経時補正を行うので、ガス給湯器の燃焼動作の過程で適時に経時補正を行うことができる。
【００２８】
請求項６記載の発明は、請求項３又は４記載のＣＯガス検知装置において、前記経時補正手段は、前記燃焼信号の入力がなくなってから前記検知素子の抵抗値に基づいて前記検知素子の温度を検出する温度検出手段２ａ−８を有し、該温度検出手段により検出した温度が０点基準値の補正に影響ない温度となったとき、前記経時補正を行うことを特徴とするＣＯガス検知装置に存する。
【００２９】
請求項６記載の発明によれば、請求項３又は４記載の発明の作用に加え、経時補正手段は、燃焼信号の入力がなくなってから検知素子の抵抗値に基づいて温度検出手段２ａ−８により検出した検知素子の温度が０点基準値の補正に影響ない温度となったとき経時補正を行うので、経時補正のためのタイミングを簡単にかつ的確に見つけることができる。
【００３２】
請求項７記載の発明は、請求項２〜６の何れかに記載のＣＯガス検知装置において、前記燃焼信号入力手段は、ガス給湯器のフレームロットの発生する信号を燃焼信号として信号入力端子を介して入力することを特徴とするＣＯガス検知装置に存する。
【００３３】
請求項７記載の発明によれば、請求項２〜６の何れかに記載の発明の作用に加え、燃焼信号入力手段は、ガス給湯器のフレームロットの発生する信号を燃焼信号として信号入力端子を介して入力するので、ガス給湯器において燃焼状態を監視するための信号がそのまま流用することができる。
【００３４】
請求項８記載の発明は、請求項１〜７の何れかに記載のＣＯガス検知装置において、新しい０点基準値としてそれ以前の０点基準値に代えて前記０点基準値記憶手段に記憶させるための前記ＣＯ検知器の検知出力が予め定めた範囲内にないとき前記検知素子に異常ありと判定して、異常信号出力端子を介して異常信号を出力する異常判定手段２ａ−９を更に備えることを特徴とするＣＯガス検知装置に存する。
【００３５】
請求項８記載の発明によれば、請求項１〜７の何れかに記載の発明に加え、異常判定手段２ａ−９は、新しい０点基準値としてそれ以前の０点基準値に代えて０点基準値記憶手段に記憶させるためのＣＯ検知器の検知出力が予め定めた範囲内にないとき検知素子に異常ありと判定して、異常信号出力端子を介して異常信号を出力するので、０点基準値の補正動作の過程で検知素子或いはＣＯ検知器の異常を検出することができる。
【００３６】
【発明の実施の形態】
以下、本発明の実施の形態を図面に基づいて説明する。図２は既存のガス給湯器に適用されるように構成された本発明によるＣＯガス検知装置の一実施の形態を示す回路ブロック図である。同図において、ＣＯガス検知装置は、図示しないガス給湯器の排出する不完全燃焼排ガスを検知するために、ガス給湯器の本体の排気口部分に配された接触燃焼式の検知素子１ａを有するＣＯ検知器１を備える。接触燃焼式の検知素子１ａは、検知素子を検知温度に加熱する加熱手段である定電流印加回路１ｃとアース間に、温度補償用の基準素子１ｂと直列に接続されている。直列に接続された検知素子１ａ及び基準素子１ｂとともにブリッジ回路を構成する図示しない固定抵抗及び可動抵抗などは、検知素子１ａが排気に触れることで排気中の一酸化炭素濃度に応じて発熱し、その抵抗値が変化することでブリッジ回路の平衡状態が崩れ、非平衡度に応じた大きさの電圧を検知出力として出力するＣＯ検知器１の検知出力回路１ｄを形成している。
【００３７】
ＣＯガス検知装置はまた、定電流印加回路１ｃによる検知素子１ａの加熱を制御する加熱制御手段２ａ−１として機能する中央処理ユニット（ＣＰＵ）２ａを内蔵するマイクロコンピュータ（以下μＣＯＭと略記する）２を有する。μＣＯＭ２は図示しない読み出し専用のメモリであるＲＯＭ２ｂ内蔵し、ＣＰＵ２ａがこのＲＯＭ２ｂ内に格納したプログラムに従って処理を行う。
【００３８】
μＣＯＭ２はまた、ＣＰＵ２ａによる処理の過程で作業領域として使用されるワークエリアや各種のデータを一時的に記憶するメモリエリアをもった読み出し書き込み自在のＲＡＭ２ｃも内蔵している。そして、ＲＡＭ２ｃ内には、ＣＯ検知器がＣＯガスを検知していないときに出力する検知出力を０点基準値として予め記憶する０点基準値記憶手段２ｃ−１として働く０点基準値記憶エリアが形成されており、ＣＰＵ２ａは０点基準値記憶エリアに記憶している０点基準値を基準として、ＣＯ検知器の出力する検知出力がＣＯガスの所定濃度に対して予め定められた値以上となったことを判定する判定手段２ａ−２としても機能している。このように判定手段２ａ−２としても機能しているＣＰＵ２ａは、ＣＯ検知器の出力する検知出力がＣＯガスの所定濃度に対して予め定められた値以上となったことを判定したとき、図示しないブザーを鳴動させたり、図示しないインジケータを点灯させて、ＣＯガスが危険濃度になっていることを警告するための警報信号を、警報信号出力端子３ｄを介して出力する。
【００３９】
ＣＯガス検知装置はまた、ガス給湯器の電源回路を介して電源供給を受ける電源端子３ａを備え、μＣＯＭ２のＣＰＵ２ａはこの電源端子３ａの電源電圧の立ち上がりを監視し、ガス給湯器の動作開始を示す動作開始信号として入力する動作開始信号入力手段２ａ−３としても機能している。
【００４０】
ＣＯガス検知装置はさらに、例えば、ガス給湯器の主弁を開閉する信号線が接続される信号線端子３ｂを備え、μＣＯＭ２のＣＰＵ２ａはこの信号線端子３ｂをＬレベルにすることによって、ガス給湯器へのガス供給を停止させてガス給湯器の燃焼を禁止させる燃焼制御信号として出力する燃焼制御信号出力手段２ａ−４としても機能している。なお、ガス給湯器の燃焼を禁止させる方法としては、具体的には、バーナにガスを供給する管路に設けられ弁開状態にある主弁を弁閉させて行うことが一般に考えられる。この燃焼制御信号出力手段２ａ−４として機能するＣＰＵ２ａは、ＣＯガスの所定濃度に対して予め定められた値以上となったことを判定したとき、それ以上にＣＯガスの濃度が上がると人体に危険を及ぼすので、信号線端子３ｂをＬレベルにして、ガス給湯器の燃焼を禁止させる燃焼制御信号として出力するようにすることが好ましい。
【００４１】
ＣＯガス検知装置はさらにまた、ガス給湯器が燃焼中を検出するために有しているフレームロットからの信号を入力する信号入力端子３ｃを備え、μＣＯＭ２のＣＰＵ２ａはこの信号入力端子３ｃの信号を監視し、ガス給湯器が燃焼状態にあることを示す燃焼信号として入力する燃焼信号入力手段２ａ−５としても機能している。
【００４２】
また、ＣＯガス検知装置が備えるμＣＯＭ２のＣＰＵ２ａは、上述したように電源端子３ａの電源電圧の立ち上がりを動作開始信号として入力したことに応じて、定電流印加回路１ｃに検知素子１ａ及び基準素子１ｂを通じてアースに定電流を供給させる制御を行って、検知素子を検知温度に加熱させるとともに、信号線端子３ｂをＬレベルにすることによって、弁開状態にある主弁を弁閉させてガス給湯器へのガス供給を停止させてガス給湯器の燃焼を禁止させる燃焼制御信号として出力させ、ガス給湯器が燃焼状態になくかつ検知素子１ａが検知温度に加熱されている状態において、ＣＯ検知器１の検知出力回路１ｄが出力している検知出力を新しい０点基準値としてそれ以前の０点基準値に代えてＲＡＭ２ｃ内に形成した０点基準値記憶手段２ｃ−１に記憶させて０点基準値の初期補正を行い、その後燃焼制御信号の出力を終了させてガス給湯器を燃焼状態にする初期補正手段２ａ−６としても機能している。
【００４３】
上述したように加熱制御手段２ａ−１として機能するμＣＯＭ２のＣＰＵ２ａは、信号入力端子３ｃへの燃焼信号の入力に応じて定電流印加回路１ｃに検知素子１ａ及び基準素子１ｂを通じてアースに定電流を供給させ、燃焼信号の入力がなくなったとき定電流印加回路１ｃに検知素子１ａ及び基準素子１ｂを通じてアースに定電流を供給させるのを止めさせ検知素子１ａの加熱を終了させる。
【００４４】
μＣＯＭ２のＣＰＵ２ａは、上述したように初期補正手段２ａ−６としてとして機能するμＣＯＭ２のＣＰＵ２ａが０点基準値の初期補正を終了した後、定期的に、燃焼信号の入力がなくなっても定電流印加回路１ｃに検知素子１ａ及び基準素子１ｂを通じてアースに定電流を供給させるのを止めず、ガス給湯器の燃焼終了後燃焼による温度が０点基準値の補正に影響がなくなった時点で、ＣＯ検知器の検知出力を新しい０点基準値としてそれ以前の０点基準値に代えてＲＡＭ２ｃ内に形成した０点基準値記憶エリアに記憶させて０点基準値の経時補正を行う経時補正手段２ａ−７としても機能している。
【００４５】
上述したように経時補正手段２ａ−７として機能するμＣＯＭ２のＣＰＵ２ａは、燃焼信号の入力に応じて計数を行うためＲＡＭ２ｃ内に形成した計数エリアを計数手段２ｃ−２として有し、この計数エリアの計数値が所定値になる毎に、上述した定期的な経時補正を行う。
【００４６】
上述したように経時補正手段２ａ−７として機能するμＣＯＭ２のＣＰＵ２ａはまた、燃焼信号の入力がなくなってからの一定時間を経時するためＲＡＭ２ｃ内に形成した経時エリアを経時手段２ｃ−３として有し、この経時エリアが一定時間の経時を行ったとき、ガス給湯器の燃焼終了後燃焼による温度が０点基準値の補正に影響がなくなったとして、上述した経時補正を行う。この経時補正の仕方は、燃焼信号の入力がなくなってからの時間を経時するだけでよいので、非常に簡便に実行することができる。
【００４７】
なお、経時補正手段２ａ−７として機能するμＣＯＭ２のＣＰＵ２ａは、経時エリアが一定時間の経時を行ったとき、ガス給湯器の燃焼終了後燃焼による温度が０点基準値の補正に影響がなくなったとして経時補正を行う代わりに、燃焼信号の入力がなくなってから検知素子１ａの抵抗値に基づいて温度を検出して温度に応じた大きさの温度信号を出力する温度検出回路１ｅからの温度信号を入力し、検知素子の温度を検出する温度検出手段２ａ−８としても機能し、この機能により検出した温度が０点基準値の補正に影響ない温度となったとき経時補正を行うようにしてもよい。このようにした場合、検知素子１ａの実際の温度によって、非常に適時に経時補正が実行できるので、より正確な経時補正を短時間に行える。
【００４８】
さらに、ＣＯガス検知装置が備えるμＣＯＭ２のＣＰＵ２ａは、新しい０点基準値としてそれ以前の０点基準値に代えてＲＡＭ２ｃ内に形成した０点基準値記憶エリアに記憶させるためのＣＯ検知器１の検知出力が予め定めた範囲内にないとき検知素子１ａに異常ありと判定する異常判定手段２ａ−９としても機能している。このように異常判定手段２ａ−９としても機能しているμＣＯＭ２のＣＰＵ２ａが検知素子１ａに異常ありと判定したときには、以後検知素子１ａ又はこの検知素子１ａを有するＣＯ検知器１を正常に機能させることができないので、図示しないブザーを鳴動させたり、図示しないインジケータを点灯させて、検知素子或いは検知器が異常状態になっていて素子又は検知器の交換が必要なことを警告するための異常信号を異常信号出力端子３ｅを介して出力する。
【００４９】
図２を参照して構成を説明したＣＯガス検知装置の動作を以下説明する。図示のＣＯガス検知装置は、図示しないガス給湯器のコンセントをＡＣ１００Ｖ電源に差し込むと、ガス給湯器の電源回路を介して給湯器本体の各部に電源が供給される。この電源投入によってガス給湯器の制御回路が動作状態に入るが、ガス給湯器の電源回路からＣＯ検知装置の電源端子３ａにも電源が供給され、これに応じてμＣＯＭ２のＣＰＵ２ａも動作を開始する。
【００５０】
電源が投入されたμＣＯＭ２のＣＰＵ２ａはこのことによってガス給湯器の動作開始を知り、ガス給湯器が燃焼動作を開始しないように、ガス給湯器に対して燃焼動作を禁止するため信号線端子３ｂをＬレベルにする燃焼制御信号を出力する。信号線端子３ｂをＬレベルにすることによって、弁開状態にある主弁を弁閉させてガス給湯器へのガス供給を停止させてガス給湯器の燃焼を禁止させる。
【００５１】
その後、定電流印加回路１ｃに検知素子１ａ及び基準素子１ｂを通じてアースに定電流を供給させて、検知素子を検知温度に加熱させる。検知素子１ａが検知温度に加熱させるため例えば一定時間の経過を待って、ＣＯ検知器１の検知出力回路１ｄが出力している検知出力を取り込み、この取り込んだ検知出力が予め定めた範囲内にあるかどうかを判定する。この判定の結果、範囲内にあるときには、この取り込んだ検知出力を新しい０点基準値としてそれ以前の０点基準値に代えてＲＡＭ２ｃ内に形成した０点基準値記憶エリアに記憶させて０点基準値の初期補正を行う。その後燃焼制御信号の出力を終了させてガス給湯器を燃焼状態又は燃焼可能な状態にする。なお、検知出力が予め定めた範囲内にないときには、異常信号を出力して検知素子１ａ又はＣＯ検知器１の交換を警報する。
【００５２】
ガス給湯器が貯湯式の場合、ガス給湯器のコンセントをＡＣ１００Ｖ電源に差し込むことによって、自動的に燃焼状態に入るので、上述したように燃焼の禁止を解くことによって自動的に燃焼を開始して燃焼信号が入力されるようになるので、検知素子１ａの検知温度への加熱状態は持続され、この期間０点基準値記憶エリアに記憶した０点基準値を基準として、ＣＯ検知器の出力する検知出力がＣＯガスの所定濃度に対して予め定められた値以上となるかどうかの判定が行われる。この判定の結果、所定濃度以上のＣＯガスを検知しないときには燃焼信号の入力がなくなるまでＣＯ検知器の出力する検知出力を繰り返し取り込み、この検知出力がＣＯガスの所定濃度に対して予め定められた値以上となるかどうかの判定を繰り返す。所定濃度以上のＣＯガスの検知が行わたときには警報信号を出力して警報を行う。燃焼信号の入力がなくなったときには、検知素子１ａを検知温度に加熱する動作を停止して、その後の燃焼信号の入力を待つ。
【００５３】
ガス給湯器の燃焼が開始して２回目の燃焼信号が入力されると、ＲＡＭ２ｃに形成した燃焼回数を計数する計数エリアのインクリメントし、その後定電流印加回路１ｃに検知素子１ａ及び基準素子１ｂを通じてアースに定電流を供給させて、検知素子を検知温度に加熱させ、検知素子１ａが検知温度に加熱させるため例えば一定時間の経過を待って、ＣＯ検知器１の検知出力回路１ｄが出力している検知出力を取り込み、０点基準値記憶エリアに記憶した０点基準値を基準として、ＣＯ検知器の出力する検知出力がＣＯガスの所定濃度に対して予め定められた値以上となるかどうかの判定を行い、この判定の結果、所定濃度以上のＣＯガスを検知しないときには燃焼信号の入力がなくなるまでＣＯ検知器の出力する検知出力を繰り返し取り込み、この検知出力がＣＯガスの所定濃度に対して予め定められた値以上となるかどうかの判定を繰り返す。所定濃度以上のＣＯガスの検知が行わたときには、上述したように警報信号を出力して警報を行う。
【００５４】
ガス給湯器の燃焼動作が終了して燃焼信号の入力がなくなったときには、検知素子１ａを検知温度に加熱する動作を終了し、続いて上記計数エリアの計数値が例えば５００又は１０００となっているか否かの判定し、５００又は１０００回の燃焼動作が行われたかどうかを判断する。計数値が５００又は１０００未満のときには、加熱を停止して次の燃焼信号の入力を待つ。計数値が５００又は１０００となったときには、燃焼信号の入力がなくなっても定電流印加回路１ｃに検知素子１ａ及び基準素子１ｂを通じてアースに定電流を供給させるのを止めず、ガス給湯器の燃焼終了後燃焼による温度が０点基準値の補正に影響がなくなるのを待って、ＣＯ検知器の検知出力を取り込み、この取り込んだ検知出力が予め定めた範囲内にあるかどうかを判定する。この判定の結果、範囲内にあるときには、この取り込んだ検知出力を新しい０点基準値としてそれ以前の０点基準値に代えてＲＡＭ２ｃ内に形成した０点基準値記憶エリアに記憶させて０点基準値の経時補正を行う。経時補正を行った後は、計数エリアをクリアしてから加熱を停止して次の燃焼信号の入力を待つ。検知出力が予め定めた範囲内にないときには、異常信号を出力して検知素子１ａ又はＣＯ検知器１の交換を警報する。
【００５５】
ガス給湯器の燃焼終了後燃焼による温度が０点基準値の補正に影響がなくなったことを判断するためには、一定時間の計時を行うか、温度検出回路１ｅからの温度信号を利用することができるが、温度補償を行うために設けられた温度検出回路１ｅからの温度信号を用いるようにした方が、別個に何らの手段も設ける必要がなく、しかも補正精度も上がる。
【００５６】
以上概略説明したＣＯガス検知装置の動作の詳細を、ＣＯガス検知装置が備えるμＣＯＭ２のＣＰＵ２ａが予め定めたプログラムに従って行う処理を示す図及び図のフローチャートを参照して以下説明する。
【００５７】
ＣＰＵ２ａは、ガス給湯器のコンセントがＡＣ１００Ｖ電源に差し込まれることによってガス給湯器の電源回路から電源電圧が電源端子３ａに供給されることで動作を開始し、その最初のステップＳ１においてガス給湯器に対して燃焼制御信号を信号線端子３ｂから出力することによってガス給湯器の燃焼を禁止する。その後ステップＳ２に進んで定電流印加回路１ｃに検知素子１ａ及び基準素子１ｂを通じてアースに定電流を供給させて加熱を開始させ、ステップＳ３において検知素子１ａがＣＯガスを検知するのに必要な例えば検知温度に加熱されステップＳ３の判定がＹＥＳになったところでステップＳ４に進み、ここでＣＯ検知器１の検知出力を取り込む。
【００５８】
その後ステップＳ５において取り込んだ検知出力が所定の範囲内にあるか否かを判定する。所定範囲内になくステップＳ６に進んで検知素子１ａ或いはＣＯ検知器１に異常があることを警報するための警報信号を端子３ｅを介して出力する。検知出力が所定の範囲内にあってステップＳ５の判定がＹＥＳのときにはステップＳ７に進んで取り込んだ検知出力を新しい０点基準値としてそれ以前の０点基準値に代えてＲＡＭ２ｃ内に形成した０点基準値記憶エリアに記憶させて０点基準値の初期補正を行う。この初期補正が終わったとき、同じステップＳ７において上記ステップＳ１において出力した燃焼制御信号をなくしてガス給湯器の燃焼禁止を解く。燃焼禁止を解かれたガス給湯器は給湯動作に応じて自動的に燃焼を開始し、貯湯式のガス給湯器にあっては貯湯の温度が所定温度に達するように燃焼と燃焼停止が自動的に繰り返される。
【００５９】
その後端子３ｃにガス給湯器が燃焼状態にあることを示す燃焼信号が入力されているか否かを判定し、燃焼信号が入力されていないときにはＣＯガスの検知が必要ないのでステップＳ９に進んで定電流印加回路１ｃから検知素子１ａ及び基準素子１ｂを通じてアースに定電流を供給することを終わらせ、検知素子１ａの加熱を停止させる。燃焼信号が入力されていてステップＳ８の判定がＹＥＳのときには、上記ステップＳ１０においてＣＯ検知器１の検知出力を繰り返し取り込んで検知出力が所定濃度に相当する値以上であるか否かを判定する。
【００６０】
所定濃度以上に相当する値のときにはステップＳ１１に進んで端子３ｄに警報信号を出力し、ＣＯガスが危険なレベルになっていることを図示しない警報手段に警報を発生させる。この警報信号はガス給湯器の主弁を弁閉してガス供給を遮断し、危険な燃焼を終わらせるためにも使用されうる。ステップＳ１０の判定がＮＯのとき、すなわち、検知出力が所定濃度以上に相当しない値のときには、ステップＳ１２に進んで燃焼信号が端子３ｃに入力されているか否かを判定する。燃焼信号が入力されていてステップＳ１２の判定がＹＥＳのときにはガス給湯器のＣＯガスの監視が必要であるので、上記ステップＳ１０に戻ってガス給湯器の排出するＣＯガスの濃度監視を継続して行い、判定がＮＯで燃焼信号の入力がなくなったときにはステップＳ９に進んで定電流印加回路１ｃから検知素子１ａ及び基準素子１ｂを通じてアースに定電流を供給することを終わらせ、検知素子１ａの加熱を停止させる。ステップＳ９において検知素子１ａの加熱を停止させた後は、ステップＳ１３に進んでその後のガス給湯器の燃焼開始によって発生される燃焼信号の入力を待つ。
【００６１】
燃焼信号の入力があってステップＳ１３の判定がＹＥＳのときにはステップＳ１４に進んでＲＡＭ２ｃの計数エリアをインクリメントして燃焼回数を計数してからステップＳ１５〜Ｓ１７に進む。ステップＳ１５〜Ｓ１７は上述したステップＳ２〜Ｓ４と同様に、定電流印加回路１ｃに検知素子１ａ及び基準素子１ｂを通じてアースに定電流を供給させて加熱を開始させ、検知素子１ａがＣＯガスを検知するのに必要な例えば検知温度に加熱されるのを待ってＣＯ検知器１の検知出力を取り込む。そして、次のステップＳ１８においてＣＯ検知器１の検知出力を繰り返し取り込んで検知出力が所定濃度に相当する値以上であるか否かを判定する。所定濃度以上に相当する値のときにはステップＳ１９に進んで端子３ｄに警報信号を出力し、ＣＯガスが危険なレベルになっていることを図示しない警報手段に警報を発生させるとともにガス給湯器の主弁を弁閉してガス供給を遮断し、危険な燃焼を終わらせる。
【００６２】
ステップＳ１８の判定がＮＯのとき、すなわち、検知出力が所定濃度以上に相当しない値のときには、ステップＳ２０に進んで燃焼信号が端子３ｃに入力されているか否かを判定し、燃焼信号が入力されていてステップＳ２０の判定がＹＥＳのときにはガス給湯器のＣＯガスの監視が必要であるので、上記ステップＳ１８に戻ってガス給湯器の排出するＣＯガスの濃度監視を継続して行い、判定がＮＯで燃焼信号の入力がなくなったときにはステップＳ２１に進んで上記ステップＳ１４において計数した燃焼回数が５００又は１０００となったか否かを判定する。ステップＳ２１の判定がＮＯのときステップＳ２２に進んで定電流印加回路１ｃから検知素子１ａ及び基準素子１ｂを通じてアースに定電流を供給することを終わらせ、検知素子１ａの加熱を停止させてから上記ステップＳ１３に戻る。
【００６３】
上記ステップＳ２１の判定がＹＥＳで燃焼回数が５００又は１０００以上になったときにはステップＳ２３に進んで検知素子１ａの温度が低下してガス給湯器の燃焼終了後燃焼による温度が０点基準値の補正に影響がなくなるのを待つ。ガス給湯器の燃焼終了後燃焼による温度が０点基準値の補正に影響がなくなるほどに低下してステップＳ２３の判定がＹＥＳとなったときには、ステップＳ２４に進んで検知出力を取り込み、この取り込んだ検知出力を次のステップＳ２５において所定範囲内のものであるか否かを判定する。範囲内になくステップＳ２５の判定がＮＯのときには検知素子１ａに異常ありと判断してステップＳ２６に進んで異常信号を端子３ｅから出力する。範囲内にあってステップＳ２５の判定がＹＥＳのときには、経時によって変動する０点基準値の補正を行うため、ステップＳ２７に進んで取り込んだ検知出力に基づいて経時補正を行う。ステップＳ２７において経時補正を行った後は、ステップＳ２８において計数エリアの計数値をクリアし、続くステップＳ２２において加熱を停止してから上記ステップＳ１３に戻って上述した動作を繰り返し行う。
【００６４】
以上説明した実施の形態によれば、動作開始信号が入力されたことに応じて検知素子１ａを検知温度に加熱するとともに燃焼制御信号を出力してガス給湯器の燃焼を禁止し、ガス給湯器が燃焼状態になくかつ検知素子１ａが検知温度に加熱されている状態において、ＣＯ検知器１の検知出力を新しい０点基準値としてそれ以前の０点基準値に代えて記憶させて０点基準値の初期補正を行い、その後ガス給湯器を燃焼状態にするので、ガス給湯器から動作開始信号を入力し、ガス給湯器に対して燃焼制御信号を出力するだけで、０点基準値の初期補正を行う状態を形成し、初期補正を行った後はガス給湯器を自動的に本来の動作状態に戻すことができる。
【００６５】
また、燃焼信号が入力されたことに応じて検知素子１ａを検知温度に加熱させ、燃焼信号の入力がなくなったとき検知素子１ａの加熱を終了させるので、ガス給湯器から燃焼信号を入力するだけで、ガス給湯器の燃焼動作時だけＣＯガスの検知動作を行うようになる。
【００６６】
さらに、０点基準値の初期補正の終了後定期的に、燃焼信号の入力がなくなっても検知素子１ａの加熱を終了させず、ガス給湯器の燃焼終了後燃焼による温度が０点基準値の補正に影響がなくなった時点で、ＣＯ検知器の検知出力を新しい０点基準値としてそれ以前の０点基準値に代えて記憶させて０点基準値の経時補正を行うので、ガス給湯器の燃焼動作の過程で燃焼信号のみを監視することによって、経時補正を定期的に実行することができる。
【００６７】
さらにまた、燃焼信号の入力に応じて計数を行い、計数値が所定値になる毎に定期的な経時補正を行うので、ガス給湯器から燃焼信号のみを入力することで、ガス給湯器の燃焼回数が所定回数となる毎に定期的に経時補正を実行することができる。
【００６８】
また、燃焼信号の入力がなくなってからの一定時間を計時したとき、ガス給湯器の燃焼終了後燃焼による温度が０点基準値の補正に影響がなくなったとして経時補正を行うので、ガス給湯器の燃焼動作の過程で適時に経時補正を行うことができる。
【００６９】
また、燃焼信号の入力がなくなってから検知素子１ａの抵抗値に基づいて検出したＣＯ検知器の温度が０点基準値の補正に影響ない温度となったとき経時補正を行うので、経時補正のためのタイミングを簡単にかつ的確に見つけることのできる。
【００７０】
また、ガス給湯器の電源電圧の立ち上がりを動作開始信号として入力するので、電源の供給をガス給湯器から受けるだけで、ガス給湯器の動作開始を知ることができる。
【００７１】
また、ガス給湯器のフレームロットの発生する信号を燃焼信号として入力するので、ガス給湯器において燃焼状態を監視するための信号がそのまま流用することができる。
【００７２】
また、新しい０点基準値としてそれ以前の０点基準値に代えて記憶させるためのＣＯ検知器の検知出力が予め定めた範囲内にないとき検知素子１ａに異常ありと判定するので、０点基準値の補正動作の過程で検知素子或いはＣＯ検知器の異常を検出することができる。
【００７３】
【発明の効果】
以上説明したように請求項１記載の発明によれば、検知手段、加熱手段、加熱制御手段、０点基準値記憶手段、判定手段、動作開始信号入力手段、燃焼制御信号出力手段及び初期補正手段からなるＣＯガス検知装置がガス給湯器の燃焼制御部とは別個に構成され、自然排気式のガス給湯器への電源の投入により供給される電源電圧の立ち上がりを当該ガス給湯器の動作開始を示す動作開始信号として電源端子を介して入力し、ガス給湯器に対して燃焼を禁止させる燃焼制御信号を信号線端子を介して出力するだけで、０点基準値の初期補正を行う状態を的確に形成し、また初期補正を行った後はガス給湯器を自動的に本来の動作可能な状態に戻すことができるので、既存のガス給湯器に手を加えず大幅なコストアップを招くことなく、ガス給湯器が一酸化炭素ガスを排出しない状態にあるタイミングを形成して０点基準値の補正動作を行えるようにしたＣＯガス検知装置が得られる。
【００７４】
請求項２記載の発明によれば、ガス給湯器から燃焼信号を入力するだけで、ガス給湯器の燃焼動作時だけＣＯガスの検知動作を行うようになるので、請求項１記載の効果に加え、既存のガス給湯器に手を加えず大幅なコストアップを招くことなく、検知素子にＣＯガスを検知するとき以外に無用の加熱をなくすることができるＣＯガス検知装置が得られる。
【００７５】
請求項３記載の発明によれば、ガス給湯器の燃焼動作の過程で燃焼信号のみを監視することによって、経時補正を定期的に実行することができるので、請求項２記載の効果に加え、既存のガス給湯器に手を加えず大幅なコストアップを招くことなく、ガス給湯器が一酸化炭素ガスを排出しない状態にあるタイミングを確実に見つけて０点基準値の経時補正動作を行えるようにしたＣＯガス検知装置が得られる。
【００７６】
請求項４記載の発明によれば、ガス給湯器から燃焼信号のみを入力することで、ガス給湯器の燃焼回数が所定回数となる毎に定期的に経時補正を実行することができるので、請求項３記載の発明の効果に加え、既存のガス給湯器に手を加えず大幅なコストアップを招くことなく、ガス給湯器の燃焼頻度に応じたタイミングで０点基準値の経時補正動作を的確に行えるようにしたＣＯガス検知装置が得られる。
【００７７】
請求項５記載の発明によれば、ガス給湯器の燃焼動作の過程で適時に経時補正を行うことができるので、請求項３又は４記載の発明の効果に加え、経時補正のためのタイミングを簡単にかつ的確に見つけることのできるＣＯガス検知装置が得られる。
【００７８】
請求項６記載の発明によれば、経時補正のためのタイミングを簡単にかつ的確に見つけることのできるので、請求項３又は４記載の発明の効果に加え、より精度良く０点基準値の経時補正を行うことができるＣＯガス検知装置が得られる。
【００８０】
請求項７記載の発明によれば、ガス給湯器において燃焼状態を監視するための信号がそのまま流用することができるので、請求項２〜６の何れかに記載の発明の効果に加え、ガス給湯器の燃焼に的確に同期して動作可能なＣＯガス検知装置が得られる。
【００８１】
請求項８記載の発明によれば、０点基準値の補正動作の過程で検知素子或いはＣＯ検知器の異常を検出することができるので、請求項１〜７の何れかに記載の効果に加え、検知素子或いはＣＯ検知器の異常を別個に検出することを必要なくしたＣＯガス検知装置が得られる。
【図面の簡単な説明】
【図１】本発明によるＣＯガス検知装置の基本構成を示すブロック図である。
【図２】本発明によるＣＯ検知装置の一実施の形態を示すブロック構成図である。
【図３】図２中のμＣＯＭ内のＣＰＵが行う処理の一部を示すフローチャートである。
【図４】図２中のμＣＯＭ内のＣＰＵが行う処理の他の一部を示すフローチャートである。
【符号の説明】
１          ＣＯ検知器
１ａ        検知素子
１ｃ        加熱手段（定電流印加回路）
２ａ−１    加熱制御手段（ＣＰＵ）
２ａ−２    判定手段（ＣＰＵ）
２ａ−３    動作開始信号入力手段（ＣＰＵ）
２ａ−４    燃焼制御信号出力手段（ＣＰＵ）
２ａ−５    燃焼信号入力手段（ＣＰＵ）
２ａ−６    初期補正手段（ＣＰＵ）
２ａ−７    経時補正手段（ＣＰＵ）
２ａ−８    温度検出手段（ＣＰＵ）
２ａ−９    異常判定手段（ＣＰＵ）
２ｃ−１    ０点基準値記憶手段（ＲＡＭ）
２ｃ−２    計数手段（ＲＡＭ）
２ｃ−３    計時手段（ＲＡＭ）
【図１】
0004668384.tif 000002
【図２】
0004668384.tif 000003
【図３】
0004668384.tif 000004
【図４】
0004668384.tif 000005